(57)【要約】【課題】秘匿する必要のある画像を形成した記録用紙の秘匿性を保ち、複雑化しない。【解決手段】後処理装置１４は、袋４４を集積している袋集積部４６を備えており、第２の搬送部４８を用いて袋４４を袋集積部４６から所定位置へ搬送する。所定位置には袋保持部５０があり、袋保持部５０で袋４４の開口部を拡大する。画像を形成された記録用紙１６は第１の搬送部２０により所定位置に搬送され、人目に付くことなく所定位置にある袋保持部５０で開口部を拡大された袋４４に収容される。このとき、第１の搬送部２０と第２の搬送部４８と袋保持部５０とは、画像が形成された記録用紙１６を所定位置に到達させるよりも前に、袋４４を所定位置に到達させ袋４４の開口部を拡大するように、後処理制御部６２によって同期して制御される。【選択図】図１
2007217164.tif 000002
【特許請求の範囲】
【請求項１】
記録用紙を集積する記録用紙集積部と、
前記記録用紙集積部から前記記録用紙を持ち出して所定の処理を施した後に所定位置へ搬送する第１の搬送手段と、
一対のシート材における少なくとも互いに一端部が共通の２辺同士が閉じられて形成され前記記録用紙を収容するための収容体を前記所定位置へ搬送する第２の搬送手段と、
前記記録用紙を前記収容体へ収容する場合、前記第１の搬送手段による前記記録用紙の前記所定位置への到達に先立って、前記収容体を前記所定位置へ到達させる後処理制御手段と、
前記所定位置に到達した前記収容体を前記第１の搬送手段の上流側に開口部を向け、かつ当該開口部を拡大して保持する収容体保持手段と、
前記収容体に予め定められた枚数の前記記録用紙が収容された時点で前記収容体を前記収容体保持手段による前記収容体の保持を解除し、前記所定位置から排出する収容体排出手段と、
を有することを特徴とする画像処理装置。
【請求項２】
前記収容体は、予め収容体集積部に集積されていることを特徴とする請求項１記載の画像処理装置。
【請求項３】
前記収容体は、手差し挿入部から挿入されることを特徴とする請求項１又は請求項２記載の画像処理装置。
【請求項４】
前記収容体排出手段は、前記手差し挿入部を兼用し、前記収容体を手差し挿入するときに、前記収容体の排出方向とは逆方向に駆動することを特徴とする請求項３記載の画像処理装置。
【請求項５】
前記収容体保持手段は、前記収容体を構成する一対のシート材である２面をそれぞれ保持し、当該シート材を互いに相反する方向に移動可能な一対の着持部材と、前記一対の着持部材を互いに相反する方向に相対移動させる移動手段と、を備え、前記移動手段により、前記シート材を互いに離れる方向へ移動させることで前記開口部を拡大することを特徴とする請求項１乃至請求項４の何れか１項記載の画像処理装置。
【請求項６】
前記一対の着持部材の少なくとも一方が吸盤であることを特徴とする請求項５記載の画像処理装置。
【請求項７】
前記第２の搬送手段が、前記第１の搬送手段における前記所定の処理を施す位置よりも搬送方向上流側で合流されており、前記第１の搬送手段で搬送される記録用紙と同等の所定の処理を前記収容体に対して実行可能とすることを特徴とする請求項１乃至請求項６の何れか１項記載の画像処理装置。
【請求項８】
前記後処理制御手段は、前記記録用紙を前記収容体へ収容する指示がなされた場合に、当該記録用紙のサイズを判別する判別手段をさらに有し、前記判別手段で判別された記録用紙のサイズが前記収容体の収容許容サイズを超えている場合に前記収容体への収容指示を中止することを特徴とする請求項１乃至請求項７の何れか１項記載の画像処理装置。
【請求項９】
前記後処理制御手段は、前記収容体に収容可能な前記記録用紙の最大枚数を判別し、当該収容体に収容される前記記録用紙の枚数が前記最大枚数を超えることを事前に認識した場合に、前記記録用紙を所定の枚数ごとに分けて、複数の前記収容体にそれぞれ収容することを特徴とする請求項１乃至請求項８の何れか１項記載の画像処理装置。
【請求項１０】
前記後処理制御手段は、前記所定の処理を施した記録用紙区切り情報と、予め認識された前記収容体の識別情報との関係を示す仕分けデータに基づき、前記第１の搬送手段によって搬送される前記記録用紙の区切りを認識し、次以降の記録用紙媒体に対応する前記収容体に切り替え、前記記録用紙を仕分ける仕分け手段をさらに有することを特徴とする請求項７乃至請求項９記載の何れか１項記載の画像処理装置。
【請求項１１】
前記仕分けデータは、前記記録用紙の枚数を複数の要求元単位に記録した表形式画像を読み取り、解析したデータであることを特徴とする請求項１０記載の画像処理装置。
【発明の詳細な説明】
【技術分野】
【０００１】
本発明は、所定の処理、特に画像データに基づいて記録用紙に画像を形成する画像形成部を備えた画像処理装置に関するものである。
【背景技術】
【０００２】
画像処理装置の一部として、画像が形成されその後排出される記録用紙に対して、ソート、パンチ、ステープル等の後処理を行う後処理装置が連結される場合がある。ところで、後処理装置で排出される記録用紙の中には、秘匿する必要がある画像が形成されたものもある。例えば、個人情報や、社外秘の情報を含む画像を形成された記録用紙などである。こういった秘匿する必要のある画像が形成された記録用紙は、そのまま画像処理装置のトレーに排出されると人目に付くなどして情報が漏洩する恐れがある。
【０００３】
上記のような問題を解消するために、従来技術として、空フォルダを使用するものが開示されている（特許文献１参照）。この特許文献１では、二つ折にした空フォルダを用意し、秘匿する必要のある画像を形成した記録用紙を当該空フォルダに入れた後に当該空フォルダを閉じている。
【０００４】
また、ステープルで綴じるものが開示されている（特許文献２、特許文献３参照）。特許文献２では、秘匿する必要がある画像が形成された記録用紙を真中にして、記録用紙の上に表紙、下に裏紙を形成し、それらをまとめてステープルで綴じることで親展文書を作成している。一方、特許文献３で開示されているものは、秘匿する必要がある画像が形成された記録用紙を画像処理装置で二つ折りにしてステープルで綴じ、親展文書として作成するというものである。
【特許文献１】特開平４−２１７１７８号公報
【特許文献２】特開平１１−７８１６１号公報
【特許文献３】特開平１０−１９４５７４号公報
【発明の開示】
【発明が解決しようとする課題】
【０００５】
しかしながら、特許文献１のように空フォルダを用意する手段は、空フォルダを供給しさらに空フォルダを閉じる機構を必要とする。特許文献２のように秘匿性のある記録用紙を表紙と裏紙とで挟み排出する手段は、ステープル綴じ機構を必要とする。ステープル綴じ機構は排出された複数枚の記録用紙の端を揃えた上で、ステープルを用いて綴じなければならず複雑である。また、特許文献３のような記録用紙を２つ折りしてステープルで綴じる手段は、画像処理装置に記録用紙を二つ折りにする機構とステープル綴じ機構とを必要とし、画像処理装置の構成がさらに複雑化する。
【０００６】
本発明は上記事実を考慮し、秘匿する必要のある画像が形成された記録用紙の秘匿性を守り、構成が複雑化しない画像処理装置を得ることが目的である。
【課題を解決するための手段】
【０００７】
本発明は、記録用紙を集積する記録用紙集積部と、前記記録用紙集積部から前記記録用紙を持ち出して所定の処理を施した後に所定位置へ搬送する第１の搬送手段と、一対のシート材における少なくとも互いに一端部が共通の２辺同士が閉じられて形成され前記記録用紙を収容するための収容体を前記所定位置へ搬送する第２の搬送手段と、前記記録用紙を前記収容体へ収容する場合、前記第１の搬送手段による前記記録用紙の前記所定位置への到達に先立って、前記収容体を前記所定位置へ到達させる後処理制御手段と、前記所定位置に到達した前記収容体を前記第１の搬送手段の上流側に開口部を向け、かつ当該開口部を拡大して保持する収容体保持手段と、前記収容体に予め定められた枚数の前記記録用紙が収容された時点で前記収容体を前記収容体保持手段による前記収容体の保持を解除し、前記所定位置から排出する収容体排出手段と、を有することを特徴とする。
【０００８】
本発明によれば、収容体は、一対のシート材を重ね、少なくとも一端部が共通の２辺同士を閉塞することで構成されている。なお、最も好ましいのは３辺が閉塞された構造である。この収容体は、記録用紙の非収容時は、一対のシート材が平面的に密着しており、搬送に際しては記録用紙とほとんど変わらない。この収容体は、記録用紙が第１の搬送手段で記録用紙集積部から所定位置へ搬送されるより前に、第２の搬送手段により所定位置へ搬送される。このような第１の搬送手段と第２の搬送手段の制御は後処理制御手段により行われる。所定位置に到達した収容体は、収容体保持手段によって保持され、さらに開口部を拡大されて所定位置に到達した記録用紙を収容する。その後、収容体は収容体排出手段で排出される。
【０００９】
本発明において、前記収容体は、予め収容体集積部に集積されていることを特徴とする。
【００１０】
収容体集積部に集積された収容体は、第２の搬送手段によって所定位置へ搬送される。
【００１１】
また、本発明において、前記収容体は、手差し挿入部から挿入されることを特徴とする。
【００１２】
収容体は、手差し挿入部から挿入され、所定位置へ搬送される。
【００１３】
さらに、本発明において、前記収容体排出手段は、前記手差し挿入部を兼用し、前記収容体を手差し挿入するときに、前記収容体の排出方向とは逆方向に駆動することを特徴とする。
【００１４】
収容体排出手段は、収容体を排出する方向とは逆の方向に駆動することで手差し挿入部を兼用し、収容体を画像処理装置内に搬送する。
【００１５】
また、本発明において、前記収容体保持手段は、前記収容体を構成する一対のシート材である２面をそれぞれ保持し、当該シート材を互いに相反する方向に移動可能な一対の着持部材と、前記一対の着持部材を互いに相反する方向に相対移動させる移動手段と、を備え、前記移動手段により、前記シート材を互いに離れる方向へ移動させることで前記開口部を拡大することを特徴とする。
【００１６】
収容体保持手段は、収容体が所定位置に搬送された後に、収容体を構成する一対のシート材である２面を一対の着持部材によって保持する。着持部材が収容体を保持すると、移動手段は一対の着持部材を互いに相反する方向へ移動させ、収容体の開口部を拡大する。
【００１７】
また、本発明において、前記一対の着持部材の少なくとも一方が吸盤であることを特徴とする。
【００１８】
一対の着持部材は少なくとも一方が、例えばエアーポンプと接続された吸盤である。吸盤は、収容体保持手段に収容体が搬送されると、収容体を保持する。
【００１９】
さらに、本発明において、前記第２の搬送手段が、前記第１の搬送手段における前記所定の処理を施す位置よりも搬送方向上流側で合流されており、前記第１の搬送手段で搬送される記録用紙と同等の所定の処理を前記収容体に対して実行可能とすることを特徴とする。
【００２０】
第２の搬送手段は、収容体を収容体集積部から持ち出し、所定の処理を施す位置よりも搬送方向上流側で合流している第１の搬送手段へ搬送する。収容体は、第１の搬送手段によって所定位置へ搬送されるが、その途中で記録用紙と同等の所定の処理を施される。
【００２１】
また、本発明において、前記後処理制御手段は、前記記録用紙を前記収容体へ収容する指示がなされた場合に、当該記録用紙のサイズを判別する判別手段をさらに有し、前記判別手段で判別された記録用紙のサイズが前記収容体の収容許容サイズを超えている場合に前記収容体への収容指示を中止することを特徴とする。
【００２２】
記録用紙を収容体へ収容する前に、後処理制御手段は、収容体が収容できる記録用紙のサイズを判別する。記録用紙のサイズが収容体の収容許容サイズを超えている場合、後処理制御手段は、例えば収容体を収容体集積部から持ち出すことを停止することで収容体への収容指示を中止する。
【００２３】
さらに、本発明において、前記後処理制御手段は、前記収容体に収容可能な前記記録用紙の最大枚数を判別し、当該収容体に収容される前記記録用紙の枚数が前記最大枚数を超えることを事前に認識した場合に、前記記録用紙を所定の枚数ごとに分けて、複数の前記収容体にそれぞれ収容することを特徴とする。
【００２４】
記録用紙を収容体へ収容する前に、後処理制御手段は、収容体に収容できる記録用紙の最大枚数を判別する。収容体に収容する記録用紙の枚数が収容体に収容可能な最大枚数を超える場合には、後処理制御手段は記録用紙を所定の枚数ごとに分けて複数の収容体に収容するように制御を行う。
【００２５】
また、本発明において、前記後処理制御手段は、前記所定の処理を施した記録用紙区切り情報と、予め認識された前記収容体の識別情報との関係を示す仕分けデータに基づき、前記第１の搬送手段によって搬送される前記記録用紙の区切りを認識し、次以降の記録用紙媒体に対応する前記収容体に切り替え、前記記録用紙を仕分ける仕分け手段をさらに有することを特徴とする。
【００２６】
収容体は、仕分けデータの有する記録用紙区切り情報と収容体の識別情報とに基づいて、仕分け手段で新たな収容体に切り替えられる。そして、新たな収容体に次以降の記録用紙を収容する。
【００２７】
さらに、本発明において、前記仕分けデータは、前記記録用紙の枚数を複数の要求元単位に記録した表形式画像を読み取り、解析したデータであることを特徴とする。
【００２８】
仕分けデータは、例えばスキャナーで読み取られた記録用紙の枚数を複数の要求元単位に記録した表形式画像を、さらに例えばＯＣＲ認識やチェックマーク認識によって解析したデータである。
【発明の効果】
【００２９】
以上説明した如く本発明では、秘匿する必要のある画像が形成された記録用紙の秘匿性を守り、構成が複雑化しないという優れた効果を有する。
【発明を実施するための最良の形態】
【００３０】
（第１の実施の形態）
図１には、第１の実施の形態に係る画像処理装置１０の概略構成が示されている。
【００３１】
画像処理装置１０は、画像形成装置１２と後処理装置１４とで構成されている。
【００３２】
画像形成装置１２は、記録用紙１６を集積する記録用紙集積部１８から記録用紙１６を第１の搬送部２０で持ち出し、図１のＡ方向へ搬送する。また、画像形成装置１２は、第１の搬送部２０に沿って記録用紙１６に所定の処理である、画像データに基づいた画像の形成を施す画像形成部２２を含んでいる。
【００３３】
なお、第１の搬送部２０は、画像形成部２２で処理された記録用紙１６を、後述する後処理装置１４の所定位置まで搬送する搬送路を形成する。
【００３４】
なお、本実施の形態の画像形成部２２は、感光体ドラム（図示省略）の表面を一様に帯電し、画像データに基づいて静電潜像を形成した後、トナー現像する電子写真方式の画像形成装置が適用される。
【００３５】
上記画像形成部２２による画像形成処理、並びに記録用紙１６の搬送は、画像形成制御部３８によって制御されるようになっている。
【００３６】
後処理装置１４は、記録用紙１６を搬送する第１の搬送部２０を画像形成装置１２から引き続き備えている。そして、第１の搬送部２０は、記録用紙１６をそのまま排出する分岐路４０と、所定位置に搬送する後処理路４２とに分岐している。後処理路４２の終端に位置するこの所定位置は、本実施の形態では記録用紙１６を収容体である袋４４に収容する（詰める）作業を実行する位置である（詳細後述）。
【００３７】
さらに、後処理装置１４は、記録用紙１６を収容する袋４４を収容体集積部である袋集積部４６に集積している。袋集積部４６は、図１の後処理装置１４の内部に配設され、第２の搬送部４８によって１袋ずつ取り出される構造になっている。
【００３８】
第２の搬送部４８は、袋集積部４６から袋４４を持ち出し前記所定位置へ搬送する。
【００３９】
所定位置には、袋保持部５０が設けられている。袋保持部５０は、袋４４を第１の搬送部２０の上流側に開口部を向け、かつ当該開口部を拡大して保持する役目を有している。その後、所定位置に到達した記録用紙１６は袋４４に収容されることになる。
【００４０】
袋４４の開口部を拡大する構造として、袋保持部５０は袋４４の対向する２面をそれぞれ保持し、互いに相反する方向に移動可能な一対の着持部材である上部着持部材５２Ａ並びに下部着持部材５２Ｂを備えている。
【００４１】
図２を参照して袋保持部５０の詳細について説明する。
【００４２】
上部着持部材５２Ａは、搬送ベルト６４を備えており、当該搬送ベルト６４によって袋４４を搬送する。
【００４３】
また、上部着持部材５２Ａは、上部着持部材５２Ａを下部着持部材５２Ｂから接近又は離間する方向に移動させるための移動手段である着持部材用モーター６６を図２の右側に含んでいる。この着持部材用モーター６６の動作により上部着持部材５２Ａと下部着持部材５２Ｂとは互いに相反する方向に相対移動（本実施の形態では、下部着持部材５２Ｂは固定）することとなる。下部着持部材５２Ｂは、袋４４を搬送するための搬送ローラー６８と、袋４４を所定位置に停止させるためのストッパー７０Ａ、７０Ｂとを含んでいる。なお、ストッパー７０Ａ、ストッパー７０Ｂは図２の上下方向に移動する。
【００４４】
さらに、上部着持部材５２Ａ並びに下部着持部材５２Ｂは共にノズル７２を有している。ノズル７２は、図示しないエアーポンプと導通されている。
【００４５】
また、ノズル７２の先端は吸盤７４が取り付けられている。
【００４６】
それぞれの吸盤７４は、上部着持部材５２Ａの図２の下方並びに下部着持部材５２Ｂの図２の上方から、袋４４と接するように配置されている。
【００４７】
図１において、袋保持部５０の後方には、収容体排出手段である袋排出部５４が設けられている。袋排出部５４は、一対の袋排出ローラー５６で構成され、当該一対の袋排出ローラー５６を用いて袋４４を袋排出トレー５８へ排出する。なお、前述した分岐路４０によって搬送される記録用紙１６は記録用紙排出トレー６０に排出される。
【００４８】
また、袋排出部５４は、手差し挿入部を兼用し、上下２つの袋排出ローラーを、袋４４を排出する方向とは逆方向に回転させることで、袋４４を後処理装置１４へ挿入している。これは袋集積部４６に集積されている袋４４以外の袋４４を適用する場合に用いられる。
【００４９】
後処理装置１４は、前記記録用紙１６の搬送、記録用紙１６の排出先の選択、袋４４の持ち出し、袋４４への記録用紙１６の収容等、全ての動作を後処理制御部６２により制御している。すなわち、後処理制御部６２は、第１の搬送部２０により搬送される記録用紙１６の所定位置への到達に先立って、第２の搬送部４８により搬送される袋４４を所定位置へ到達させるように、第１の搬送部２０と第２の搬送部４８とを制御している。
【００５０】
次に、図３を参照して、画像処理装置１０の制御系の要部構成を説明する。
【００５１】
画像処理装置１０の制御系は、画像処理装置１０全体の制御を司る画像処理制御部８０を備えている。画像処理制御部８０には、ＲＯＭ８２とＲＡＭ８４がバス８６を介して接続されるとともに、操作／表示部８８並びに画像データ入力部９０や画像データ記憶部９２とも接続されている。さらに、画像処理制御部８０には、画像形成制御部３８と後処理制御部６２とがバス８６を介して接続されている。
【００５２】
画像処理制御部８０は、操作／表示部８８からユーザーの画像処理装置１０に対する要求を受け取る。そして、画像処理制御部８０は、ＲＯＭ８２とＲＡＭ８４とから、適宜必要なコマンドデータや、画像処理装置１０の制御に係る電子データを読み取り、バス８６を介して各部へ制御信号を送る。
【００５３】
また、画像データ入力部９０では、画像データが入力される。当該画像データは画像データ記憶部９２へバス８６を介して記憶される。画像データ記憶部９２で記憶された画像データは、画像処理制御部８０からの信号に基づいて画像形成制御部３８が制御を行う画像形成部２２へ送信される。
【００５４】
画像処理制御部８０は、画像形成制御部３８へ信号を送ると共に、後処理制御部６２にも信号を送る。後処理制御部６２は、画像処理制御部８０から送られた信号に基づいて第１の搬送部２０並びに第２の搬送部４８や、袋保持部５０を制御する。
【００５５】
次に、図４を参照して、図３に示した後処理制御部６２の詳細を機能的に示したブロック図を説明する。
【００５６】
後処理制御部６２は、サイズ判別部１００と枚数判別部１０２とを備える。
【００５７】
サイズ判別部１００は、操作／表示部８８から袋４４に収容する記録用紙１６のサイズに係る信号である記録用紙サイズ信号と、ＲＯＭ８２から袋４４のサイズに係る袋サイズ信号とを、それぞれ画像処理制御部８０を介して受け取る。
【００５８】
記録用紙１６のサイズとは、操作／表示部８８でユーザーが指定した記録用紙１６のサイズである。袋４４のサイズとは袋集積部４６に集積されている袋４４のサイズであり、予めＲＯＭ８２に記憶されている。仮に２種類以上の袋４４が集積されている場合は、予め選択された方の袋４４のサイズを受け取る。
【００５９】
サイズ判別部１００は受け取った信号に基づいて袋４４に記録用紙１６が収容できるか否かを判別する。判別の結果は、画像処理制御部８０に通信されるようになっており、例えば、収容可能な場合は収容許可信号（無信号でもよい）を、収容できないとされた場合は、記録用紙１６のサイズが袋４４の収容許容サイズを超えているとされ、収容指示を中止する旨の収容信号を画像処理制御部８０へ送る。
【００６０】
また、枚数判別部１０２もサイズ判別部１００と同様に、操作／表示部８８から袋４４に収容する記録用紙１６の排出枚数に係る記録用紙排出枚数信号と、ＲＯＭ８２から袋４４が収容できる記録用紙１６の最大枚数に係る信号である袋収容枚数信号と、を画像処理制御部８０を介して受け取る。袋４４が収容できる記録用紙１６の最大枚数は、記録用紙１６の種類ごとに予めＲＯＭ８２に記憶されている。
【００６１】
枚数判別部１０２は受け取った信号に基づいて、記録用紙１６の排出枚数が袋４４の記録用紙１６を収容できる最大枚数より少ないか否かを判別し、その結果を画像処理制御部８０へ返信する。記録用紙１６の排出枚数が袋４４の記録用紙１６を収容できる最大枚数を超えていない場合は、画像処理制御部８０へ収容許可信号（無信号でもよい）を送る。一方、記録用紙１６の排出枚数が袋４４の記録用紙１６を収容できる最大枚数を超えている場合は、記録用紙１６を所定の枚数ごとに袋４４に収容するよう再設定し、画像処理制御部８０にその旨の信号を返す。
【００６２】
さらに、後処理制御部６２は、画像処理制御部８０に接続された同期制御部１０４を備えている。また、同期制御部１０４は、搬送制御部１０６並びに袋保持制御部１０８が接続されている。
【００６３】
同期制御部１０４は、画像処理制御部８０から記録用紙１６を袋４４へ収容する旨の信号を受け取ると、搬送制御部１０６と袋保持制御部１０８とに信号を送る。
【００６４】
搬送制御部１０６は、袋４４が記録用紙１６に先立って所定位置に到達するように、第１の搬送部用モーターコントローラ１１０と第２の搬送部用モーターコントローラ１１２に信号を送り、第１の搬送部２０と第２の搬送部４８とを制御する。第１の搬送部用モーターコントローラ１１０は第１の搬送部２０を駆動させる第１の搬送部用モーター１１４と接続されている。また、第２の搬送部用モーターコントローラ１１２は第２の搬送部４８を駆動させる第２の搬送部用モーター１１６と接続されている。
【００６５】
袋保持制御部１０８は、袋４４が所定位置に到達すると、袋保持部用モーターコントローラ１１８に信号を送り、袋保持部用モーターコントローラ１１８に接続されている各モーターを制御する。袋保持部用モーターコントローラ１１８には、着持部材用モーター６６と、ストッパー用モーター１２０と、エアーポンプ用モーター１２２と、搬送ローラー用モーター１２４と、が接続されている。
【００６６】
ストッパー用モーター１２０は、ストッパー７０Ａ、７０Ｂを上下動させ、エアーポンプ用モーター１２２は、図示しないエアーポンプを駆動させ、空気吸引を行う。搬送ローラー用モーター１２４は、搬送ローラー６８を回転させるためのモーターである。
【００６７】
以下に本実施の形態の作用を説明する。
【００６８】
まず、図５を参照して袋４４の開口部を拡大するときの袋保持部５０の動作について説明する。
【００６９】
ユーザーが記録用紙１６を袋４４に収容する袋付き印刷モードを選択すると、記録用紙１６に先立って袋４４は、袋集積部４６から第２の搬送部４８によって持ち出される。持ち出された袋４４は、さらに第２の搬送部４８により袋保持部５０へ図５（Ａ）の左から右へ向かう方向であるＤ方向から供給される。
【００７０】
このとき、袋４４は、搬送ベルト６４が図５（Ａ）の反時計回り方向であるＥ方向、並びに搬送ローラー６８が図５（Ａ）の時計回り方向であるＦ方向、に回転することによって袋保持部５０の後端まで送られる。袋保持部５０の後端へ送られた袋４４は、予め図５（Ａ）の上方向であるＧ方向へ上がっている右側のストッパー７０Ａに当たり、停止する。
【００７１】
袋４４が停止したら、袋保持部５０の図示しないエアーポンプが動作を開始して袋保持部５０を構成する上部着持部材５２Ａ並びに下部着持部材５２Ｂに配されたノズル７２から空気吸引を行う。空気吸引によりノズル７２の吸盤７４に負圧が発生する。この負圧により、袋４４の対向する上下２面は、上部着持部材５２Ａ及び下部着持部材５２Ｂにより吸着、保持される。
【００７２】
次に、エアーポンプが空気吸引を行いつつ、上部着持部材５２Ａの備える着持部材用モーター６６が回転する。着持部材用モーター６６の回転方向は、上部着持部材５２Ａを図５（Ｂ）に示すように点αを中心に図４の時計回り方向であるＨ方向に回動させる方向である。着持部材用モーター６６は上部着持部材５２Ａが所定の角度に達すると停止する。
【００７３】
上部着持部材５２Ａの回動により、上部着持部材５２Ａが下部着持部材５２Ｂに対しては、離間する方向へ移動する。それに伴い上部着持部材５２Ａと下部着持部材５２Ｂとで保持されている袋４４の開口部が拡大される。
【００７４】
次に、画像形成装置１２により画像が形成された記録用紙１６が、図５（Ｃ）に示すように第１の搬送部２０で図４の左から右へ向かう方向であるＩ方向から所定位置にある袋保持部５０へ搬送される。所定位置には袋保持部５０によって開口部が拡大された状態の袋４４があるため、記録用紙１６は搬送に伴って袋４４に収容される。
【００７５】
所定の枚数の記録用紙１６が袋４４に収容された後に、着持部材用モーター６６が図５（Ｂ）で回転したときとは逆方向に回転する。着持部材用モーター６６が回転することで、上部着持部材５２Ａは図５（Ｄ）に示すように上部着持部材５２Ａの後部の点αを中心に図５（Ｄ）の反時計回りであるＪ方向に回動し、図５（Ａ）で示されるような元の状態に戻る。その後、エアーポンプは停止し、それに伴い上部着持部材５２Ａと下部着持部材５２Ｂは、袋４４の保持を解除する。
【００７６】
最後に図５（Ｅ）に示すように、ストッパー７０Ａが図５（Ｅ）の下方向であるＫ方向に下がる。ストッパー７０Ａが下がった後に、搬送ベルト６４が図５（Ｅ）の反時計回りであるＥ方向、並びに搬送ローラー６８が図５（Ｅ）の時計回り方向であるＦ方向に回転し、袋４４を袋保持部５０から図５（Ｅ）の左から右へ向かう方向であるＤ方向へ排出する。
【００７７】
さらに袋排出部５４の図５（Ｅ）の上方に配されている袋排出ローラー５６が図５（Ｅ）の反時計回りであるＬ方向に回転し、図５（Ｅ）の下方に配されている袋排出ローラー５６が図５（Ｅ）の時計回りであるＭ方向に回転することで、袋４４は袋排出部５４の後部にある袋排出トレー５８に搬送される。
【００７８】
次に図６を参照して、袋４４が手差し挿入部を兼用した袋排出部５４から所定位置へ搬送される場合を説明する。図６に示す図は、図５と同様に袋保持部５０の縦断面図である。
【００７９】
袋４４を手差し挿入部である袋排出部５４から後処理装置１４に挿入する場合、予め図６（Ａ）の右側のストッパー７０Ａが図６（Ａ）の下方向であるＫ方向に下がり、一方、図６（Ａ）の左側のストッパー７０Ｂが図６（Ａ）の上方向であるＮ方向へ上がる。
【００８０】
次に、図６（Ｂ）で示すように、袋排出部５４に対して図６（Ｂ）の右から左へ向かう方向であるＯ方向から袋４４が挿入される。この場合、袋排出部５４の図６（Ｂ）の上方に配されている袋排出ローラー５６は図６（Ｂ）の時計回りであるＰ方向に回転する。一方、図６（Ｂ）の下方に配されている袋排出ローラー５６は、図６（Ｂ）の反時計回りであるＱ方向に回転する。さらに、搬送ベルト６４が図６（Ｂ）の時計回り方向であるＲ方向、並びに搬送ローラー６８が図６（Ｂ）の反時計回りであるＳ方向に回転することで、袋４４は袋保持部５０に搬送される。
【００８１】
このように、袋排出部５４並びに搬送ローラー６８が回転することで、袋４４は袋保持部５０に搬送される。搬送ベルト６４並びに搬送ローラー６８は、図６（Ｃ）に示すように袋４４が図６（Ｃ）の左側のストッパー７０Ｂに当たり停止するまで、それぞれ図６（Ｃ）の反時計回りＲ方向並びにＳ方向に回転を続ける。
【００８２】
次に、図６（Ｄ）で示すように、図６（Ｄ）の右側のストッパー７０Ａは図６（Ｄ）の上方向であるＧ方向へ上がり、一方図６（Ｄ）の左側のストッパー７０Ｂは図６（Ｄ）の下方向であるＴ方向へ下がる。その後、搬送ローラー６８が図６（Ｄ）の時計回りであるＦ方向へ回転する。搬送ローラー６８の回転により袋４４は図６（Ｄ）の左から右へ向かう方向であるＤ方向へ移動し、図６（Ｄ）の右側のストッパー７０Ａに当たり停止する。
【００８３】
袋４４が停止すると、既述している図５（Ｂ）乃至図５（Ｅ）に示すのと同様に袋保持部５０は袋４４の開口部を拡大し、記録用紙１６を収容したのち袋４４を排出する。
【００８４】
また、図６（Ａ）乃至（Ｄ）で示すように、袋排出部５４に手差し挿入部を兼用させずに、手差し挿入部を別途設け、そこから袋４４を挿入して所定位置へ搬送してもよい。
【００８５】
次に、図７のフロー図を参照して、前述した袋収容動作を前提とした袋付き印刷モードが選択された場合の制御を説明する。
【００８６】
まず、ステップ２００において、袋付き印刷モードが選択されたか否かを判断する。判断が肯定判定された場合はステップ２０２に移行する。
【００８７】
一方、ステップ２００において判断が否定判定された場合、すなわち袋付き印刷モードが選択されなかった場合は、ステップ２０４へ移行して画像形成装置１２で記録用紙１６に画像を形成する。さらにステップ２０６では予め設定された記録用紙１６の枚数全てについての画像形成が終了したか否かを判断し、肯定判定された場合は処理を終了する。否定判定ならステップ２０４へ戻り、残りの記録用紙１６についての画像形成を行う。
【００８８】
ステップ２００において、肯定判定がなされてステップ２０２に移行した場合、ステップ２０２では、袋４４に収容する記録用紙１６が複数枚あるか否かを判断する。判断が肯定判定された場合は、ステップ２０８へ移行する。一方、判断が否定判定された場合は、ステップ２１０へ移行する。
【００８９】
ステップ２０８では、記録用紙１６の袋収容パターンの選択が行われる。袋収容パターンの選択とは、複数枚ある記録用紙１６を１つの袋４４に収容するパターン、あるいは複数枚ある記録用紙１６を所定の枚数ごとに複数の袋４４に収容するパターンのいずれかを選択することである。袋収容パターンの選択が終了するとステップ２１０へ移行する。
【００９０】
次に、ステップ２１０において、サイズ判別部１００が、画像が形成される記録用紙１６のサイズと記録用紙１６を収容する袋４４の収容許容サイズとを比較する。記録用紙１６のサイズが袋４４の収容許容サイズ以下の場合は、判断は肯定判定とされステップ２１２へ移行する。一方、判断が否定判定とされた場合、すなわち記録用紙１６のサイズが袋４４の収容許容サイズを超える場合は、袋付き印刷モードはキャンセルされ、ステップ２０４へ移行する。
【００９１】
また、ステップ２１０において、判断が否定判定とされた場合は、袋付き印刷モードをキャンセルせずに、記録用紙１６のサイズが袋４４の収容許容サイズ以下となるように再び設定し、袋付き印刷モードを続行するようにしてもよい。
【００９２】
次に、ステップ２１２において、枚数判別部１０２が、袋４４に収容する記録用紙１６の枚数と、袋４４が収容できる記録用紙１６の最大枚数である収容最大枚数と、を比較する。記録用紙１６の枚数が袋４４の収容最大枚数以下の場合は、肯定判定とされステップ２１６へ移行する。
【００９３】
一方、ステップ２１２において、記録用紙１６の枚数が袋４４の収容最大枚数を超える場合は、否定判定とされステップ２１４へ移行する。
【００９４】
ステップ２１４では、記録用紙１６を所定の枚数ごとに袋４４に収容するように設定する所定枚数分割設定を行い、袋４４に収容する記録用紙１６の枚数が、袋４４の収容最大枚数を超えないように設定する。所定枚数分割設定が終了するとステップ２１６へ移行し、袋付き印刷ジョブを行う。
【００９５】
ステップ２１６では、画像データに基づいた画像が形成された記録用紙１６を袋４４に収容する袋付き印刷ジョブを行う。袋付き印刷ジョブが終了すると印刷ジョブは終了する。
【００９６】
次に、図８を参照して、袋付き印刷ジョブについて説明する。
【００９７】
袋付き印刷ジョブが開始されたら、まずステップ３００において、袋４４が第２の搬送部４８によって袋集積部４６から持ち出される。
【００９８】
次に、ステップ３０２において、引き続き第２の搬送部４８により袋４４は、所定位置へ搬送される。
【００９９】
袋４４が所定位置に搬送されたら、ステップ３０４で、所定位置にある袋保持部５０により袋４４の開口部が拡大される。
【０１００】
次にステップ３０６において、記録用紙１６が第１の搬送部２０によって記録用紙集積部１８から持ち出される。
【０１０１】
記録用紙集積部１８から持だされた記録用紙１６は、ステップ３０８において、第１の搬送部２０の搬送路上にある画像形成部２２で画像データに基づいて画像が形成される。
【０１０２】
ここで、画像が形成された最初の記録用紙１６が所定位置に到達するよりも前に、袋４４は所定位置で開口部を拡大されていればよい。そのため、それが達成できるのならば、ステップ３００乃至ステップ３０８の順序が異なっていてもよい。
【０１０３】
画像が形成された記録用紙１６は、ステップ３１０で、第１の搬送部２０により所定位置へ搬送される。
【０１０４】
次にステップ３１２において、所定位置へ搬送された記録用紙１６は、開口部を拡大された袋４４へ収容され、ステップ３１４へ移行する。
【０１０５】
ステップ３１４では、１袋分の記録用紙１６が袋４４へ収容されたか否かを判断する。判断が肯定判定とされた場合は、ステップ３１６へ移行する。一方、判断が否定判定とされた場合はステップ３０６へ移行し、記録用紙１６に画像を形成して袋４４へ収容する処理を１袋分終了するまで繰り返す。
【０１０６】
ステップ３１６では、１袋分の記録用紙１６を収容した袋４４の開口部を閉じる。
【０１０７】
その後、開口部を閉じられた袋４４はステップ３１８で、袋排出部５４によって袋排出トレー５８へ排出される。
【０１０８】
次に、ステップ３２０で、全袋分について、記録用紙１６への画像形成並びに袋４４への収容が終了したか否かを判断する。判断が肯定判定された場合は、袋付き印刷ジョブは終了する。一方、判断が否定判定された場合は、ステップ３０６へ移行し、残りの袋付き印刷ジョブを引き続き行う。
【０１０９】
以上説明したように、第１の実施の形態によれば、後処理装置１４は、袋４４を集積している袋集積部４６を備えており、第２の搬送部４８を用いて袋４４を袋集積部４６から所定位置へ搬送する。所定位置には袋保持部５０があり、袋保持部５０で袋４４の開口部を拡大する。画像を形成された記録用紙１６は第１の搬送部２０により所定位置に搬送され、人目に付くことなく所定位置にある袋保持部５０で開口部を拡大された袋４４に収容される。このとき、第１の搬送部２０と第２の搬送部４８と袋保持部５０とは、画像が形成された記録用紙１６を所定位置に到達させるよりも前に、袋４４を所定位置に到達させ袋４４の開口部を拡大するように、後処理制御部６２によって同期して制御される。
（第２の実施の形態）
以下に、本発明の第２の実施の形態を説明する。
【０１１０】
上記第１の実施の形態では、後処理装置１４が袋集積部４６を備えていたが、第２の実施の形態では画像形成装置１２が袋集積部４６を備えることを特徴とする。
【０１１１】
ここで、図９を参照して、第２の実施の形態に係る画像処理装置１０の概略構成を説明する。以下、前記第１の実施の形態と同一構成部分については、同一の符号を付して、その構成の説明を省略する。
【０１１２】
袋集積部４６は、画像形成装置１２に設けられた記録用紙集積部１８に併設して設けられ、第２の搬送部４８によって、第１の搬送部２０に合流する構成となっている。言い換えれば、記録用紙１６と袋４４とが同一の搬送路（図９の第１の搬送部２０）で搬送される構成である。
【０１１３】
さらに、後処理装置１４が備える袋保持部５０は、上部着持部材５２Ａが固定配置され、下部着持部材５２Ｂが着持部材用モーター６６を中心として回動する構造となっている。少なくとも、袋４４の開口部を広げたとき下部着持部材５２Ｂによって、袋４４の下側が、後処理路４２よりも下位とする必要があるためである。
【０１１４】
これにより、同一の後処理路４２で後から搬送されてくる記録用紙１６は、確実に袋４４内に収容される。
【０１１５】
以下に図１０を参照して第２の実施の形態に係る袋付き印刷ジョブについて説明する。なお、図１０において、第１の実施の形態にかかる図８のフローチャートと同一のステップは、追加されるステップ前後についてのみ説明し、他の同一のステップについては同一の符号を付して説明を省略する。
【０１１６】
図１０のフローチャートにおいて示すように、ステップ３００において第２の搬送部４８で袋集積部４６から袋４４を持ち出す。
次に、ステップ５００において第２の搬送部４８は、第１の搬送部２０と合流しているため、袋４４は、第１の搬送部２０で搬送される。
【０１１７】
第１の搬送部２０で搬送された袋４４は、ステップ５０２において、第１の搬送部２０で搬送される過程で、画像形成部２２によってその表面に画像データに基づいて画像を形成される。
【０１１８】
画像が形成された袋４４は、ステップ３０２において、引き続き第１の搬送部２０によって搬送され、所定位置へ到達する。
（第３の実施の形態）
次に、本発明に係る第３の実施の形態について説明する。
【０１１９】
この第３の実施の形態は、第２の実施の形態の構成（画像形成装置１２に袋集積部４６が設けられた構成）を前提として記載しているが、特にこれに限定されるものではない。
【０１２０】
第３の実施の形態では、図１１に示されるように画像処理制御部８０と同期制御部１０４との間に仕分け手段である仕分け部４００が加わる。仕分け部４００は、仕分けデータに基づいて記録用紙１６を収容する袋４４を切り替える指示を同期制御部１０４に与える。
【０１２１】
ここで、仕分けデータとは、所定の処理を施した記録用紙区切り情報と、予め認識された収容体の識別情報との関係を示し、記録用紙の枚数を複数の要求元単位に記録した表形式画像である（図１２参照）。
【０１２２】
次に、図１２並びに図１３を用いて、写真プリントに関する処理を説明する。
【０１２３】
写真プリントに関する処理とは、写真プリントに関する仕分けデータに基づいて、写真画像が形成された記録用紙１６を袋４４に収容するというものである。
【０１２４】
ここで、仕分けデータである注文書７００を図１２（Ａ）に示す。
【０１２５】
注文書７００の行が、仕分けデータにおける記録用紙区切り情報を示し、列が仕分けデータにおける収容体の識別情報を示している。この注文書７００は、図示しないスキャナーで読み込まれ、ＯＣＲ認識で文字並びに数字を、チェックマーク認識でレ点を、認識される。
【０１２６】
画像処理装置１０は、認識された文字、数字、「レ」印に基づいて、注文者単位で記録用紙１６に画像として形成する写真画像データを特定する。また、画像データ記憶部９２あるいはＲＡＭ８４は、注文書７００に記載された注文者の名称等を画像データとして記憶する。
【０１２７】
記憶された注文者の名称等の画像データは、図１２（Ｂ）に示すように袋４４に画像として形成される。注文者名が手書きの場合は、そのまま注文者名に係る画像データを切り出して袋４４に画像として形成される。また袋４４に収容される記録用紙１６の枚数も、袋４４に画像として形成される。
【０１２８】
また、注文書７００に記載されている上記以外の項目を、必要に応じて袋４４に画像として形成してもよい。
【０１２９】
さらに、注文書７００をスキャナーで読み込まずに、図示しないパソコンで作成された電子データとしてネットワークを介して画像処理装置１０に入力してもよい。
【０１３０】
次に図１３のフロー図を参照して、読み込んだ注文書７００に基づいて画像処理装置１０が記録用紙１６に写真プリントを行い、袋４４に収容する場合を説明する。
【０１３１】
まず、ステップ６００で注文書７００を読み込む。
【０１３２】
次に、ステップ６０２において、第２の搬送部４８が袋集積部４６から袋４４を持ち出した後に、ステップ６０４において第１の搬送部２０で搬送する。
【０１３３】
そして、ステップ６０６において、袋４４は第１の搬送部２０で搬送される過程で、画像形成部２２によって注文書７００から読み取った画像データに基づいて、注文者単位で注文者名等の画像を形成される。
【０１３４】
そして、画像が形成された袋４４は、ステップ６０８において、引き続き第１の搬送部２０によって所定位置へ搬送され、袋保持部５０で開口部を拡大される。
【０１３５】
次に、ステップ６１０において、第１の搬送部２０が記録用紙１６を記録用紙集積部１８から持ち出す。
【０１３６】
ステップ６１２では、第１の搬送部２０によって持ち出された記録用紙１６が、読み込まれた注文書７００に基づいて、画像形成部２２により写真画像データを画像として形成される。
【０１３７】
ステップ６１４において、画像が形成された記録用紙１６は、第１の搬送部２０で所定位置まで搬送され、開口部を拡大された袋４４へ収容される。
【０１３８】
次に、ステップ６１６において、１注文者単位について記録用紙１６への画像の形成並びに袋４４への収容が終了したか否かを判断する。判断が肯定判定とされた場合はステップ６１８へ移行する。一方、否定判定とされた場合は、ステップ６１０へ移行して、１注文者単位について記録用紙１６への画像の形成並びに袋４４への収容に係る処理が終了するまで繰り返す。
【０１３９】
ステップ６１８では、注文書７００に記載されている全ての注文者について記録用紙１６への画像の形成並びに袋４４への収容が終了したか否かを判断する。判断で肯定判定とされた場合は、全ての処理を終了する。一方、否定判定とされた場合は、ステップ６２０へ移行する。
【０１４０】
ステップ６２０では、読み込んだ注文書７００に基づいて、仕分け部４００が、新たな注文者が要求する記録用紙１６に対応する袋４４へ切り替える。当該切り替えが終了すると、ステップ６０２に移行し、残りの注文者について全ての処理が終了するまで繰り返す。
【０１４１】
なお、第３の実施の形態において、袋４４に画像を形成する機構（例えば、インクジェット型プリンタ等）を後処理装置１４に設けるようにしてもよい。
【０１４２】
なお、第１の実施の形態乃至第３の実施の形態では、袋４４の開口部を拡大するのに上部着持部材５２Ａ、下部着持部材５２Ｂのみとしたが、図１４（Ａ）に示されるようなガイド８００を用いてもよい。
【０１４３】
ガイド８００は、袋４４が所定位置に搬送される前には図１４（Ａ）の破線で示される位置にあるが、袋４４が所定位置に搬送されたら点βを中心に袋４４の開口部へ回動し、挿入される。
【０１４４】
さらに、図１４（Ｂ）に、ガイド８００が袋４４の開口部に挿入され、開口部が拡大された状態を第１の搬送部２０の側から見た図を示す。
【０１４５】
袋４４は袋保持部５０によって図１４（Ｂ）の上下方向に開口部が拡大される。しかし、袋４４は開口部の図１４（Ｂ）の上下方向に開口部が拡大される一方で、図１４（Ｂ）の左右方向に開口部が狭まる傾向にある。このとき、左右の幅が必要以上に狭まってしまうと、袋４４に記録用紙１６を収容することが困難となる。
【０１４６】
そこで、ガイド８００を取り付けることで、図１４（Ｂ）に示すように、左右の幅を一定以上に狭まらないように保持する。
【０１４７】
次に第１の実施の形態乃至第３の実施の形態に用いた袋４４の変形例について説明する。
（第１の変形例）
図１４（Ｃ）で示す袋４４は、一対の対向する面のほかに、当該面に直行し互いに対向する蛇腹状の２面を持つものである。図１４（Ｃ）に示す袋４４であるならば、袋４４の開口部を拡大したとしても、左右の幅が狭まらない。
（第２の変形例）
また、図１４（Ｄ）に示す袋４４は、袋４４の有する開口部と直行する１辺も開口部となっているものである。このような袋４４を用いてもよい。
（第３の変形例）
なお、後処理装置１４は、袋４４に秘匿性を保ったまま記録用紙１６を収容することができる。しかし、袋４４の開口部は封を綴じられたわけではない。そこで、袋４４の封を綴じる後処理装置１４を付加してもよい。
【０１４８】
図５に袋４４の封を綴じる後処理装置１４として、袋保持部５０に可動式ヒーター９００を備えたものを示す。
【０１４９】
袋４４の封を綴じるためには開口部の内側に接着剤を塗布した袋４４を用いる。接着剤の種類は熱を加えることで接着能力を発揮する熱溶着性接着剤とする。
【０１５０】
可動式ヒーター９００は、袋保持部５０において袋４４の開口部が位置する部分に、配置される。さらに、可動式ヒーター９００は、図１５の上下方向に可動する。
【０１５１】
熱溶着性接着剤を塗布された袋４４は、記録用紙１６を収容した後に、可動式ヒーター９００を開口部に押し付けられることで、熱溶着性接着剤が接着能力を発揮して封を綴じることができる。
【０１５２】
また、袋４４の封を綴じる手段としては、熱溶着性接着剤を塗布した袋４４を用いる手段のほかに、ステープル装置を備え、ステープル針により袋４４の封を綴じる構成としてもよい。さらには、熱溶着性接着剤を塗布した袋４４を利用すると共に、ステープル装置を用いて袋４４の封を綴じてもよい。
【図面の簡単な説明】
【０１５３】
【図１】第１の実施の形態に係る画像処理装置の概略図である。
【図２】第１の実施の形態に係る袋保持部の拡大図である。
【図３】第１の実施の形態に係る画像処理装置の制御の要部を示すブロック図である。
【図４】第１の実施の形態に係る後処理制御部に関する機能ブロック図である。
【図５】第１の実施の形態に係る袋保持部の動作において、（Ａ）は袋が袋保持部へ到達した状態、（Ｂ）は袋の開口部が袋保持部で拡大された状態、（Ｃ）は開口部が拡大された袋に記録用紙が収容される状態、（Ｄ）は記録用紙を収容した袋の開口部を閉じる状態、（Ｅ）は開口部を閉じられた袋を排出する状態、を示す概略図である。
【図６】第１の実施の形態に係る手差し挿入で袋を袋保持部へ搬送する場合において、（Ａ）は袋を搬送する前の袋保持部の状態、（Ｂ）は袋排出部を用いて袋を袋保持部へ搬送する状態、（Ｃ）は袋が搬送ローラーにより搬送される状態、（Ｄ）は袋が停止する状態、を示す概略図である。
【図７】袋付き印刷モードが選択された場合の制御の流れを示すフローチャートである。
【図８】第１の実施の形態に係る袋付き印刷ジョブの制御の流れを示すフローチャートである。
【図９】第２の実施の形態に係る画像処理装置の概略図である。
【図１０】第３の実施の形態に係る袋付き印刷ジョブの制御の流れを示すフローチャートである。
【図１１】第３の実施の形態に係る後処理制御部に関する機能ブロック図である。
【図１２】第３の実施の形態に係る写真プリントに係り、（Ａ）は仕分けデータ表の正面図、（Ｂ）は仕分けデータに基づいて画像が形成された袋の正面図である。
【図１３】第３の実施の形態に係る写真プリントに関する、制御の流れを示すフローチャートである。
【図１４】（Ａ）は袋に変形例としてのガイドを挿入した状態の斜視図、（Ｂ）は袋に変形例としてのガイドを挿入したときの第１の搬送部から見た正面図、（Ｃ）は第１の変形例に係る蛇腹状の２面を有する袋の斜視図、（Ｄ）は第２の変形例に係る開口部と直行する１辺も開口部となっている袋の斜視図である。
【図１５】第３の変形例に係る、可動式ヒーターを備えた袋保持部の概略図である。
【符号の説明】
【０１５４】
１４    後処理装置
１６    記録用紙
２０    第１の搬送部（第１の搬送手段）
４０    袋（収容体）
４２    袋集積部（収容体集積部）
４４    第２の搬送部（第２の搬送手段）
４６    袋保持部（収容体保持手段）
５８    袋排出部（収容体排出手段）
６２    後処理制御部（後処理制御手段）
【図１】
2007217164.tif 000003
【図２】
2007217164.tif 000004
【図３】
2007217164.tif 000005
【図４】
2007217164.tif 000006
【図５】
2007217164.tif 000007
【図６】
2007217164.tif 000008
【図７】
2007217164.tif 000009
【図８】
2007217164.tif 000010
【図９】
2007217164.tif 000011
【図１０】
2007217164.tif 000012
【図１１】
2007217164.tif 000013
【図１２】
2007217164.tif 000014
【図１３】
2007217164.tif 000015
【図１４】
2007217164.tif 000016
【図１５】
2007217164.tif 000017